(57)【要約】【課題】スキャナ部側に設けられていた透過原稿用光源を、プリンタ部側に設けることによって筐体本体の小型化を図ること。【解決手段】複合機１００は、透過原稿および反射原稿の画像データを読み取るスキャナ部１１０と、取得した画像データを出力するプリンタ部１２０と、が開閉可能に併設された画像形成装置であって、スキャナ部１１０とプリンタ部１２０との開閉部分に設けられたフィルムホルダー１１５にセットされた透過原稿に対して、プリンタ部１２０側に設けられた透過原稿用光源１２３が光を照射する。そして、スキャナ部１１０側に設けられた透過用センサ３０４によって透過原稿用光源１２３から照射された光を透過原稿を通して受光することを特徴とする。【選択図】図２
2007214944.tif 000002
【特許請求の範囲】
【請求項１】
透過原稿および反射原稿の画像データを読み取るスキャナ部と、取得した画像データを出力するプリンタ部と、が開閉可能に併設された画像形成装置であって、
前記スキャナ部と前記プリンタ部との開閉部分に設けられ、前記透過原稿を支持する支持部と、
前記プリンタ部側に設けられ、前記支持部に支持された透過原稿に対して光を照射する透過原稿用光源と、
前記スキャナ部側に設けられ、前記透過原稿用光源から照射された光を前記透過原稿を通して受光する受光部と、
を備えたことを特徴とする画像形成装置。
【請求項２】
前記受光部は、
前記スキャナ部側の前記透過原稿用光源と対向する位置に設けられ、前記支持部に支持された透過原稿の副走査方向に往復移動し、
前記透過原稿用光源は、
前記透過原稿の主走査方向に延びた形状であり、前記受光部と同期して前記副走査方向に往復移動することを特徴とする請求項１に記載の画像形成装置。
【請求項３】
前記透過原稿用光源は、
前記プリンタ側に設けられ、前記受光部と同期して前記副走査方向に往復移動するプリンタキャリッジに搭載されていることを特徴とする請求項２に記載の画像形成装置。
【請求項４】
前記透過原稿用光源から照射された光を面状に拡散し、面光源を構成する導光板ユニットをさらに備え、
前記受光部は、
前記導光板ユニットから出射された光を前記透過原稿を通して受光することを特徴とする請求項１に記載の画像形成装置。
【請求項５】
前記支持部は、
前記スキャナ部および前記プリンタ部のいずれか一方の前記開閉部分側に設けられていることを特徴とする請求項１〜４のいずれか一つに記載の画像形成装置。
【請求項６】
前記支持部は、
前記スキャナ部および前記プリンタ部の間に、当該スキャナ部および当該プリンタ部とは別体に設けられていることを特徴とする請求項１〜４のいずれか一つに記載の画像形成装置。
【発明の詳細な説明】
【技術分野】
【０００１】
この発明は、フィルム原稿などの透過原稿の画像データを読み取ることができる画像形成装置に関し、特に透過原稿用光源の構造の簡略化を図りつつ、装置全体の小型化を実現することができる画像形成装置に関する。
【背景技術】
【０００２】
従来より、透過原稿および反射原稿の画像データを読み取るスキャナ部と、取得した画像データを出力するプリンタ部と、を備えた画像形成装置においては、透過原稿用光源が、スキャナ部の原稿台上に載置された原稿を上方から覆うための原稿カバー側に設けられているものが提案されている。
【０００３】
このように原稿カバー側に設けられた透過原稿用光源は、原稿台上に載置された透過原稿に対して光を照射する役割を担っている。そして、画像形成装置は、透過原稿からの透過光を、スキャナ部のスキャナキャリッジ内に備えられた透過原稿用の受光センサによって受光し、透過原稿の画像データを読み取っている。
【０００４】
このような透過原稿用光源としては、たとえば原稿カバー側に配置されるものとして、透過原稿の主走査方向に延びた形状の光源が透過原稿の副走査方向に往復移動する移動光源方式が提案されている。この場合、透過原稿用光源は、スキャナキャリッジの読み取り動作と同期して往復移動する（たとえば、下記特許文献１参照。）。
【０００５】
また、原稿カバー側に設けられた光源から照射される光を面状に拡散し、面光源を構成するいわゆる導光板を用いた固定光源方式が提案されている。この場合、スキャナキャリッジ内の受光センサは、導光板から出射された光を透過原稿を通して受光する（たとえば、下記特許文献２参照。）。
【０００６】
【特許文献１】特開平６−０４６２１２号公報
【特許文献２】特開平５−２０７２３０号公報
【発明の開示】
【発明が解決しようとする課題】
【０００７】
しかしながら、上述した特許文献１に記載の従来技術では、原稿カバー内に、透過原稿用光源を往復移動させるためのスペースが必要となる。このため、少なくとも透過原稿用光源の高さ程度は、原稿カバーの板厚方向への厚みが増してしまうこととなり、筐体全体の高さ方向の小型化を図ることができない。
【０００８】
さらに、原稿カバーには、透過原稿用光源をスキャナキャリッジの読み取り動作と同期して往復移動させるための移動機構を設ける必要がある。このため、あらたに透過原稿用光源を移動させるための動力源などが必要であり、部品点数が増えるとともに組立作業の工程数が増えてしまうという問題がある。
【０００９】
また、上述した特許文献２に記載の従来技術では、原稿カバー内に設ける光源および導光板のスペースを必要とするため、原稿カバーの板厚方向への厚みが増してしまい、依然として筐体全体の小型化を図ることができない。
【００１０】
この発明は、上述した従来技術による問題点を解消するため、原稿カバー内の構造を簡略化し、筐体全体の小型化を図ることができる画像形成装置を提供することを目的とする。
【課題を解決するための手段】
【００１１】
上述した課題を解決し、目的を達成するため、この発明にかかる画像形成装置は、透過原稿および反射原稿の画像データを読み取るスキャナ部と、取得した画像データを出力するプリンタ部と、が開閉可能に併設された画像形成装置であって、前記スキャナ部と前記プリンタ部との開閉部分に設けられ、前記透過原稿を支持する支持部と、前記プリンタ部側に設けられ、前記支持部に支持された透過原稿に対して光を照射する透過原稿用光源と、前記スキャナ部側に設けられ、前記透過原稿用光源から照射された光を前記透過原稿を通して受光する受光部と、を備えたことを特徴とする。
【００１２】
この発明の画像形成装置によれば、スキャナ部とプリンタ部との開閉部分に設けられている支持部に支持された透過原稿に対して、光を照射する透過原稿用光源がプリンタ部側に設けられている。このため、従来の透過原稿用光源を原稿台上に載置された反射原稿を覆うための原稿カバーの部分に設ける場合と比較して、原稿カバーの板厚方向への厚みを減らすことができ、筐体全体の小型化を実現することができる。
【００１３】
また、この発明にかかる画像形成装置の前記受光部は、前記スキャナ部側の前記透過原稿用光源と対向する位置に設けられ、前記支持部に支持された透過原稿の副走査方向に往復移動し、前記透過原稿用光源は、前記透過原稿の主走査方向に延びた形状であり、前記受光部と同期して前記副走査方向に往復移動することを特徴とする。
【００１４】
この発明の画像形成装置によれば、プリンタ部側に設けられた透過原稿用光源がスキャナ部側に設けられた受光部と同期して副走査方向に移動するため、透過原稿用光源から支持部に支持された透過原稿に対して照射される光の輝度の不均一性を低減することができる。
【００１５】
また、この発明にかかる画像形成装置の前記透過原稿用光源は、前記プリンタ側に設けられ、前記受光部と同期して前記副走査方向に往復移動するプリンタキャリッジに搭載されていることを特徴とする。
【００１６】
この発明の画像形成装置によれば、プリンタ部側に設けられた透過原稿用光源をスキャナ部側に設けられた受光部と同期して副走査方向に移動させる駆動源として、プリンタ部側に設けられているプリンタキャリッジを駆動させるための駆動源を利用する。このため、透過原稿用光源を移動させるための駆動源をあらたに設ける必要がなく、部品点数および組立作業工程の削減を実現することができ、製造コストの削減を図ることができる。
【００１７】
また、この発明にかかる画像形成装置は、前記透過用原稿光源から照射された光を面状に拡散し、面光源を構成する導光板ユニットをさらに備え、前記受光部は、前記導光板ユニットから出射された光を前記透過原稿を通して受光することを特徴とする。
【００１８】
この発明の画像形成装置によれば、支持部に支持された透過原稿に対して光を照射するための導光板ユニットがプリンタ部側に設けられている。このため、従来の導光板ユニットを原稿台に載置された反射原稿を覆うための原稿カバーの部分に設ける場合と比較して、原稿カバーの板厚方向への厚みを減らすことができ、筐体全体の小型化を実現することができる。
【００１９】
また、この発明にかかる画像形成装置の前記支持部は、前記スキャナ部および前記プリンタ部のいずれか一方の前記開閉部分側に設けられていることを特徴とする。
【００２０】
この発明の画像形成装置によれば、プリンタ部に対してスキャナ部を自在に開閉することができ、開閉部分に設けられた支持部に対して透過原稿をセットすることができる。このため、従来の原稿カバー内に備えられている支持部に対して透過原稿をセットして原稿を読み取る場合と比較して、ユーザがおこなう読取作業工数の削減を図るとともに、透過原稿の取付作業の簡略化を図ることができ、ユーザの利便性の向上を実現することができる。
【００２１】
また、この発明にかかる画像形成装置の前記支持部は、前記スキャナ部および前記プリンタ部の間に、当該スキャナ部および当該プリンタ部は別体に設けられていることを特徴とする。
【００２２】
この発明の画像形成装置によれば、プリンタ部に対してスキャナ部を自在に開閉することができ、スキャナ部とプリンタ部との間に、当該スキャナ部と当該プリンタ部とは別体に設けられた支持部に対して透過原稿をセットすることができる。このため、従来の原稿カバー内に備えられている支持部に対して透過原稿をセットして原稿を読み取る場合と比較して、ユーザがおこなう読取作業工数の削減を図るとともに、透過原稿の取付作業の簡略化を図ることができ、ユーザの利便性の向上を実現することできる。
【００２３】
さらに、支持部は、スキャナ部とプリンタ部とは別体に設けられているため、たとえば支持部が破損した場合に、支持部が設けられたスキャナ部とともに修理に出さなければならないなどの不具合を防ぐことができる。このため、支持部の取り替え作業を容易におこなうことができ、ユーザの利便性の向上を図ることができる。
【発明を実施するための最良の形態】
【００２４】
（実施の形態１）
以下に添付図面を参照して、この発明にかかる画像形成装置の好適な実施の形態を詳細に説明する。まず、この発明の実施の形態１にかかる画像形成装置である複合機１００の全体構成について図１を用いて説明する。
【００２５】
図１は、この発明の実施の形態１にかかる複合機の外観を示す斜視図である。また、図２は、図１に示す複合機の簡易正面図である。なお、図２においては、図１に示す操作パネル１５０の図示は省略する。図１に示すように、複合機１００は、上部にスキャナ部１１０と、下部にプリンタ部１２０と、正面側に操作パネル１５０とを備えて構成されている。スキャナ部１１０は、透過原稿および反射原稿に記載された図形、テキスト、写真などのデータを読み取り、それぞれのデータに対応する形式の電子データを生成する。
【００２６】
図２に示すように、スキャナ部１１０は、スキャナケース１１１と、原稿台１１２と、原稿カバー１１３と、スキャナキャリッジ１１４と、フィルムホルダー１１５とを備えて構成されている。スキャナケース１１１は、たとえば上部が開口した箱形に形成され、内部には原稿に記載されたデータを読み取るための各部が格納される。また、スキャナケース１１１の下部には、透過原稿からの透過光を読み取るための開口窓が形成されている。さらに、スキャナケース１１１は、背面側に形成されたヒンジによって開閉可能にプリンタケース１２１に連結されている。
【００２７】
原稿カバー１１３は、原稿台１１２上に載置された原稿を上方から覆うようにして、原稿台１１２に対して押さえつける。また、原稿カバー１１３は、たとえば背面側に形成されたヒンジによって開閉可能にスキャナケース１１１に連結されている。原稿台１１２は、透明なガラス材などからなる板状部材によって構成されており、スキャナケース１１１の上部に形成された開口部を閉塞するように固定されている。原稿台１１２上には、ユーザによって、電子データ化するためのデータが記載された原稿が載置される。
【００２８】
また、スキャナキャリッジ１１４は、原稿の画像を読み取るための各部材を内部に格納しており、スキャナケース１１１の内部に収容されている。スキャナキャリッジ１１４は、スキャナ部１１０に設けられたモータによって駆動されるベルトに係合されており、モータの回転にともなって、ベルトを介して原稿台１１２に載置される反射原稿およびフィルムホルダー１１５にセットされる透過原稿の副走査方向（図２中白抜矢印Ａ方向）に往復移動する。なお、スキャナキャリッジ１１４の内部構成についての説明は、図３を用いて後述する。
【００２９】
フィルムホルダー１１５は、透過原稿のデータを読み取る際に透過原稿を支持するための支持部である。フィルムホルダー１１５は、スキャナケース１１１を背面側に形成されたヒンジを軸に開放したときに、スキャナ部１１０とプリンタ部１２０との間に形成される開閉部分に設けられている。ここでは、フィルムホルダー１１５は、スキャナ部１１０の開閉部分側に設けられ、スキャナケース１１１の下部の外側表面に取り付けられている。
【００３０】
なお、フィルムホルダー１１５は、プリンタ部１２０の開閉部分側に設けられる構成としてもよい。この場合、フィルムホルダー１１５は、プリンタ部１２０の上部の外側表面に取り付けられた構造としてもよい。さらに、フィルムホルダー１１５は、スキャナ部１１０とプリンタ部１２０との間に、スキャナ部１１０とプリンタ部１２０とは別体に設けられる構成としてもよい。たとえば、フィルムホルダー１１５は、背面側に形成されたヒンジによって開閉可能にスキャナケース１１１およびプリンタケース１２１に連結され、透過原稿をスライド移動させてフィルムホルダー１１５にセットし、支持することができる形状であればよい。
【００３１】
このように、フィルムホルダー１１５をスキャナ部１１０とプリンタ部１２０とは別体に設けることによって、たとえばフィルムホルダー１１５が破損した場合などに、スキャナ部１１０とともに修理に出さなければならないなどの不具合を防ぐことができる。このため、フィルムホルダー１１５の取り替え作業を容易におこなうことができ、ユーザの利便性の向上を図ることができる。
【００３２】
プリンタ部１２０は、複合機１００とネットワークを介して接続されたパーソナルコンピュータなどから送信された電子データに対応するデータを用紙に印刷出力する。プリンタ部１２０は、プリンタケース１２１と、プリンタキャリッジ１２２とによって構成されている。プリンタケース１２１は、上部が開口した箱形に形成され、データを用紙に印刷出力するための各部材が内部に格納されている。
【００３３】
プリンタケース１２１の上方には、背面側に形成された図示しないヒンジによってスキャナケース１１１が開閉可能に連結されている。プリンタケース１２１の上部には、後述する透過原稿用光源１２３から出射した図２中矢印で示す光Ｌをフィルムホルダー１１５にセットされた透過原稿に対して照射するための開口部が形成されている。また、スキャナケース１１１を上方に開放させることによって、たとえばプリンタケース１２１に形成された開口部を露出させ、プリンタケース１２１の内部に格納されたインクカートリッジや印刷用紙の補給、あるいはプリンタケース１２１内の各部材のメンテナンスをおこなうことができる。
【００３４】
さらに、プリンタキャリッジ１２２は、プリンタ部１２０に設けられたモータによって駆動されるベルトに係合されており、モータの回転にともなって原稿台１１２に載置される反射原稿およびフィルムホルダー１１５にセットされる透過原稿の副走査方向（図２中白抜矢印Ｂ方向）に往復移動する。このとき、プリンタキャリッジ１２２は、駆動ドライバなどの制御によって、スキャナキャリッジ１１４の動きと同期して副走査方向に往復移動する。
【００３５】
また、プリンタ部１２０側のプリンタキャリッジ１２２の上部外側表面におけるスキャナキャリッジ１１４内部に収容されている透過用センサ３０４（図３参照）と対向する位置には、フィルムホルダー１１５にセットされた透過原稿に対して光を照射する透過原稿用光源１２３が設けられている。透過原稿用光源１２３は、フィルムホルダー１１５にセットされた透過原稿の主走査方向に延びた光源であり、たとえば蛍光ランプ、ハロゲンランプ、ＬＥＤなどの光源が用いられる。つぎに、スキャナ部１１０に備えられているスキャナキャリッジ１１４の内部構成について説明する。
【００３６】
図３は、スキャナキャリッジの内部構成を簡易的に示す正断面図である。また、図４は、スキャナキャリッジの内部構成を透過して示す透過斜視図である。図３および図４に示すように、スキャナキャリッジ１１４は、センサ基板３０１と、反射原稿用光源３０２と、反射用センサ３０３、透過用センサ３０４、レンズアレイ３０５，３０６とを備えて構成されている。センサ基板３０１における原稿台１１２側の主面には、反射光を受光する受光部である反射用センサ３０３が実装されている。また、センサ基板３０１におけるフィルムホルダー１１５側の主面には、透過光を受光する受光部である透過用センサ３０４が実装されている。
【００３７】
反射用センサ３０３および透過用センサ３０４は、主走査方向に直線状に並ぶ姿勢で配設されたフォトダイオードなどの受光素子と、これに並列して配設されたＣＣＤ（Ｃｈａｒｇｅ  Ｃｏｕｐｌｅｄ  Ｄｅｖｉｃｅ）とによって構成されている。反射用センサ３０３および透過用センサ３０４は、受光面に結像された光学像を光電変換して、受光素子ごとの受光量に応じた電気信号を出力する。
【００３８】
反射原稿用光源３０２は、原稿台１１２に載置された反射原稿の主走査方向に延びた光源であり、たとえば蛍光ランプ、ハロゲンランプ、ＬＥＤなどの光源が用いられる。レンズアレイ３０５，３０６は、複数のレンズの集合体であり、個々のレンズの像を重ね合わせて、全体で一個の連続した像を形成する光学系である。また、図４に示すように、レンズアレイ３０５，３０６と、反射用センサ３０３、透過用センサ３０４とは、たとえばそれぞれ並設されており、原稿の反射光を反射用センサ３０３の受光面に結像させ、原稿の透過光を透過用センサ３０４の受光面に結像させる。
【００３９】
反射原稿用光源３０２は、原稿台１１２上に載置されている反射原稿に対して光を照射する。反射原稿において反射された反射光は、レンズアレイ３０５を通して反射用センサ３０３に入射する。そして、反射用センサ３０３は、受光した反射原稿からの反射光を光電変換し、反射原稿をあらわす画像データを生成する。
【００４０】
また、上述したように、プリンタ部１２０のプリンタキャリッジ１２２とスキャナ部１１０のスキャナキャリッジ１１４とは、同期して副走査方向に往復移動する。さらに、スキャナ部１１０側のスキャナキャリッジ１１４内には、透過用センサ３０４がプリンタキャリッジ１２２の外部表面に設けられた透過原稿用光源１２３と対向位置されて設けられている。このため、スキャナキャリッジ１１４内に設けられた透過用センサ３０４はフィルムホルダー１１５にセットされた透過原稿の副走査方向に往復移動する。さらに、プリンタキャリッジ１２２の外部表面に設けられた透過原稿用光源１２３は、透過用センサ３０４と同期して副走査方向に往復移動することとなる。
【００４１】
ここで、透過原稿の画像データを読み取る際の複合機１００の各部の動作を簡単に説明する。まず、プリンタ部１２０側に設けられた透過原稿用光源１２３は、フィルムホルダー１１５にセットされた透過原稿に対して光を照射する。透過原稿からの透過光は、スキャナ部１１０側に設けられたスキャナキャリッジ１１４内のレンズアレイ３０６を通して、透過用センサ３０４に入射する。
【００４２】
このとき、透過用センサ３０４は、副走査方向に往復移動することによってフィルムホルダー１１５にセットされている透過原稿全体を走査する。そして、透過用センサ３０４は、受光した透過原稿からの透過光を光電変換し、透過原稿をあらわす画像データを生成する。
【００４３】
なお、本発明の実施の形態１にかかる複合機１００においては、反射原稿の画像データを読み取るための反射用センサ３０３と、透過原稿の画像データを読み取るための透過用センサ３０４とは別体に設ける構成としたが、一つのセンサによって反射原稿および透過原稿の画像データを読み取る構成としてもよい。
【００４４】
たとえば、ミラーなどの反射部材をスキャナキャリッジ１１４内に複数設けることによって、透過原稿からの透過光の反射用センサ３０３までの光路を形成し、反射用センサ３０３によって透過原稿の画像データを読み取ることができる。このため、反射用センサ３０３と透過用センサ３０４とを別体に設ける必要がなくなり、スキャナキャリッジ１１４内に設けるセンサを一つにすることができる。
【００４５】
以上説明した本発明の実施の形態１にかかる複合機１００によれば、スキャナ部１１０とプリンタ部１２０との開閉部分に設けられているフィルムホルダー１１５にセットされた透過原稿に対して、光を照射する透過原稿用光源がプリンタ部１２０側に設けられている。このため、従来の透過原稿用光源１２３を原稿カバー１１３の部分に設ける場合と比較して、原稿カバー１１３の板厚方向への厚みを減らすことができ、複合機１００の筐体全体の小型化を実現することができる。
【００４６】
さらに、プリンタ部１２０側に設けられた透過原稿用光源１２３がスキャナ部１１０側に設けられた透過用センサ３０４と同期して副走査方向に移動するため、透過原稿用光源１２３からフィルムホルダー１１５にセットされた透過原稿に対して照射される光の輝度の不均一性を低減することができる。
【００４７】
また、プリンタ部１２０側に設けられた透過原稿用光源１２３をスキャナ部１１０側に設けられた透過用センサ３０４と同期して副走査方向に移動させる駆動源として、プリンタ部１２０側に設けられているプリンタキャリッジ１２２を駆動させるための駆動源を利用する。このため、透過原稿用光源１２３を移動させるための駆動源をあらたに設ける必要がなく、部品点数および組立作業工程の削減を実現することができ、製造コストの削減を図ることができる。
【００４８】
さらに、プリンタ部１２０の内部に備えられているインクカートリッジの交換や印刷用紙の用紙詰りなどに対応するため、スキャナ部１１０は、背面側に形成されたヒンジを介して開閉自在な構造となっている。このように、ユーザは、プリンタ部１２０に対してスキャナ部１１０を容易に開放することができ、この開閉部分に設けられたフィルムホルダー１１５に対して透過原稿をセットすることができる。
【００４９】
このため、従来のように原稿カバー１１３内に備えられているホルダーなどに対して透過原稿をセットして原稿を読み取る場合と比較して、ユーザがおこなう読取作業工数の削減を図るとともに、透過原稿の取付作業の簡略化を図ることができ、ユーザの利便性の向上を実現することできる。
【００５０】
（実施の形態２）
つぎに、本発明の実施の形態２にかかる画像形成装置の構成を図５を用いて説明する。なお、上述した実施の形態１と同一構成部分については、同一符号を付して重複する説明を省略する。
【００５１】
図５は、この発明の実施の形態２にかかる複合機の簡易正面図である。本実施の形態２にかかる複合機５００は、プリンタキャリッジ１２２の外部表面に設けられた透過原稿用光源１２３に換わって、固定式の光源である透過原稿用光源５１１と、導光板５１２とを備えた導光板ユニット５１０が設けられている点で、実施の形態１の複合機１００とは相違している。
【００５２】
図５に示すように、複合機５００のプリンタ部１２０は、プリンタケース１２１と、プリンタキャリッジ１２２と、導光板ユニット５１０とによって構成されている。導光板ユニット５１０は、透過原稿用光源５１１と、導光板５１２と、図示しない反射板と、図示しない拡散板とを備えている。
【００５３】
透過原稿用光源５１１は、フィルムホルダー１１５にセットされた透過原稿の主走査方向に延びた光源であり、たとえば蛍光ランプ、ハロゲンランプ、ＬＥＤなどの光源が用いられる。導光板５１２は、透過原稿用光源５１１から照射された光を面状に拡散し面光源を構成する。具体的には、導光板５１２は、透過原稿用光源５１１から出光された光を伝播させ、フィルムホルダー１１５側に向けて照射する部材であり、たとえば板状の樹脂部材などによって形成される。
【００５４】
また、導光板５１２は、板厚方向に沿った端面部を、透過原稿用光源５１１の長手方向に沿って、透過原稿用光源５１１に対向させた状態となっている。透過原稿用光源５１１から出光された光は、導光板５１２の端面部から導光板５１２内に入射し、導光板５１２内を伝播して、フィルムホルダー１１５にセットされた透過原稿に対向する面から出射される。
【００５５】
図示しない反射板は、透過原稿用光源５１１および導光板５１２から外部へ漏れ出た光を導光板５１２に向けて反射する部材であり、透過原稿用光源５１１および導光板５１２を、フィルムホルダー１１５とは反対側から覆うように設けられている。また、反射板は、導光板５１２においてフィルムホルダー１１５にセットされた透過原稿に対向する面を開放するような形状を有しており、これにより、導光板５１２に入射した光をフィルムホルダー１１５側の面から出射することができる。反射板は、たとえば光反射性を有する樹脂などによって形成されている。
【００５６】
また、図示しない拡散板は、導光板５１２から出射された光を拡散して、フィルムホルダー１１５側の面から出射する部材であり、たとえば光拡散性の高い樹脂材料などによって形成されている。拡散板は、導光板５１２においてフィルムホルダー１１５側の面に設けられており、これにより、導光板５１２から出射された光を拡散板の面内全域にわたって拡散し、均一化した光をフィルムホルダー１１５に向けて出射することができる。
【００５７】
ここで、透過原稿の画像データを読み取る際の複合機５００の各部の動作を簡単に説明する。まず、プリンタ部１２０側に設けられた導光板ユニット５１０から出射された光は、フィルムホルダー１１５にセットされた透過原稿に対して照射される。そして、透過用センサ３０４（図３参照）は、導光板ユニット５１０から出射された光を透過原稿を通して受光する。具体的には、透過原稿からの透過光は、スキャナ部１１０側に設けられたスキャナキャリッジ１１４内のレンズアレイ３０６（図３参照）を通して、透過用センサ３０４（図３参照）に入射する。
【００５８】
このとき、透過用センサ３０４は、副走査方向に往復移動することによってフィルムホルダー１１５にセットされている透過原稿全体を走査する。そして、透過用センサ３０４は、受光した透過原稿からの透過光を光電変換し、透過原稿をあらわす画像データを生成する。
【００５９】
以上説明した本発明の実施の形態２にかかる複合機５００によれば、スキャナ部１１０とプリンタ部１２０との開閉部分に設けられているフィルムホルダー１１５にセットされた透過原稿に対して、光を照射する導光板ユニット５１０がプリンタ部１２０側に設けられている。このため、従来の導光板ユニットを原稿カバー１１３の部分に設ける場合と比較して、原稿カバー１１３の板厚方向への厚みを減らすことができ、複合機５００の筐体全体の小型化を実現することができる。
【００６０】
さらに、プリンタ部１２０の内部に備えられているインクカートリッジの交換や印刷用紙の用紙詰りなどに対応するため、スキャナ部１１０は、背面側に形成されたヒンジを介して開閉自在な構造となっている。このように、ユーザは、プリンタ部１２０に対してスキャナ部１１０を容易に開放することができ、この開閉部分に設けられたフィルムホルダー１１５に対して透過原稿をセットすることができる。
【００６１】
このため、従来のように原稿カバー１１３内に備えられているホルダーなどに対して透過原稿をセットして原稿を読み取る場合と比較して、ユーザがおこなう読取作業工数の削減を図るとともに、透過原稿の取付作業の簡略化を図ることができ、ユーザの利便性の向上を実現することできる。
【図面の簡単な説明】
【００６２】
【図１】この発明の実施の形態１にかかる複合機の外観を示す斜視図。
【図２】図１に示す複合機の簡易正面図。
【図３】スキャナキャリッジの内部構成を簡易的に示す正断面図。
【図４】スキャナキャリッジの内部構成を透過して示す透過斜視図。
【図５】この発明の実施の形態２にかかる複合機の簡易正面図。
【符号の説明】
【００６３】
１００  複合機、１１０  スキャナ部、１１１  スキャナケース、１１２  原稿台、１１３  原稿カバー、１１４  スキャナキャリッジ、１１５  フィルムホルダー、１２０  プリンタ部、１２１  プリンタケース、１２２  プリンタキャリッジ、１２３，５１１  透過原稿用光源、３０１  センサ基板、３０２  反射原稿用光源、３０３  反射用センサ、３０４  透過用センサ、３０５，３０６  レンズアレイ、５１０  導光板ユニット
【図１】
2007214944.tif 000003
【図２】
2007214944.tif 000004
【図３】
2007214944.tif 000005
【図４】
2007214944.tif 000006
【図５】
2007214944.tif 000007